(57)【要約】【課題】  家屋などの天井に対してコンパクトに取り付けることが可能なＬＥＤ照明装置を提供すること。【解決手段】  第１方向Ｚにおいて互いに反対側を向く表面５１１および裏面５１２を有する第１板部５１と、第１方向Ｚにおいて第１板部５１を囲み、かつ第１板部５１に対して第１方向Ｚのうち裏面５１２が向く方向に延出する第２板部５２と、を有する装置ケース５と、裏面５１２側に着脱可能に取り付けられ、かつ装置ケース５に収容されるＬＥＤユニットＢと、表面５１１に支持され、かつ第１方向Ｚに対して直角である第２方向Ｙ回りに回転可能である支持片６１と、支持片６１を第１板部５１に対して表面５１１側に回転させると、第１板部５１に対して裏面５１２に支持片６１を回転させる復元力を発生する復元力発生手段６２と、を備える。【選択図】  図１
2017162768.tif 000002
【特許請求の範囲】
【請求項１】
第１方向において互いに反対側を向く表面および裏面を有する第１板部と、前記第１方向視において前記第１板部を囲み、かつ前記第１板部に対して前記第１方向のうち前記裏面が向く方向に延出する第２板部と、を有する装置ケースと、
前記裏面側に着脱可能に取り付けられ、かつ前記装置ケースに収容されるＬＥＤユニットと、
前記表面に支持され、かつ前記第１方向に対して直角である第２方向回りに回転可能である支持片と、
前記支持片を前記第１板部に対して前記表面側に回転させると、前記第１板部に対して前記裏面側に前記支持片を回転させる復元力を発生する復元力発生手段と、を備えることを特徴とする、ＬＥＤ照明装置。
【請求項２】
一対の前記復元力発生手段および一対の前記支持片を備え、
前記第１方向および前記第２方向に対していずれも直角である第３方向において、一対の前記復元力発生手段は、互いに離間している状態で前記表面に支持されている、請求項１に記載のＬＥＤ照明装置。
【請求項３】
前記復元力発生手段は、コイルばねである、請求項２に記載のＬＥＤ照明装置。
【請求項４】
前記復元力発生手段は、前記第２方向に離間する２つのコイルばねであり、
前記支持片は、前記第２方向において前記復元力発生手段に挟まれている、請求項３に記載のＬＥＤ照明装置。
【請求項５】
前記支持片は、ワイヤからなる、請求項３または４に記載のＬＥＤ照明装置。
【請求項６】
前記支持片は、当該支持片の回転中心から離間する位置に、前記第２方向回りの回転方向において前記復元力が作用する方向に突出する突出部を有する、請求項５に記載のＬＥＤ照明装置。
【請求項７】
前記支持片および前記復元力発生手段は、一本のワイヤからなる単一の部材によって構成されている、請求項５または６に記載のＬＥＤ照明装置。
【請求項８】
前記表面に固定された保持体を備え、
前記復元力発生手段は、前記表面と前記保持体との間に挟まれている、請求項５ないし７のいずれかに記載のＬＥＤ照明装置。
【請求項９】
前記保持体は、前記一対の復元力発生手段をそれぞれ覆い、かつ各々に前記第１方向に貫通する保持体挿通孔が形成された一対の被覆部と、前記一対の被覆部にそれぞれつながり、かつ前記表面に固定された一対の保持体固定部と、を有し、
一対の前記保持体挿通孔および前記第１板部に形成された一対の保持体固定孔に、一対の保持体締結部材がそれぞれ連通されている、請求項８に記載のＬＥＤ照明装置。
【請求項１０】
前記一対の被覆部には、前記第１方向および前記第３方向に沿った一対の貫通溝がそれぞれ形成され、
前記支持片は、前記一対の貫通溝に案内されて前記第２方向回りに回転する、請求項９に記載のＬＥＤ照明装置。
【請求項１１】
前記一対の保持体固定部には、前記第１方向のうち前記裏面が向く方向に突出する保持体突起がそれぞれ形成され、
一対の前記保持体突起は、前記第１板部に形成された一対の保持体係合孔にそれぞれ係合している、請求項９または１０に記載のＬＥＤ照明装置。
【請求項１２】
前記一対の被覆部および前記一対の保持体固定部が、単一の部材によって構成されている、請求項９または１０に記載のＬＥＤ照明装置。
【請求項１３】
一方の前記被覆部および一方の前記保持体固定部が、単一の部材によって構成され、
他方の前記被覆部および他方の前記保持体固定部が、他の単一の部材によって構成されている、請求項１１に記載のＬＥＤ照明装置。
【請求項１４】
前記ＬＥＤユニットに導通し、かつ外部の電力供給ケーブルが接続される端子台と、前記表面に固定され、かつ前記端子台を支持する端子台支持体と、を備える、請求項１２または１３に記載のＬＥＤ照明装置。
【請求項１５】
前記端子台は、前記第３方向において一対の前記支持片の間に位置する、請求項１４に記載のＬＥＤ照明装置。
【請求項１６】
前記電力供給ケーブルは、前記第２方向から前記端子台に接続される、請求項１５に記載のＬＥＤ照明装置。
【請求項１７】
前記端子台は、前記第１方向視において前記表面からその全部が離間している状態で配置されている、請求項１４ないし１６のいずれかに記載のＬＥＤ照明装置。
【請求項１８】
前記端子台は、前記第１方向視において前記表面からその一部がはみ出している状態で配置されている、請求項１４ないし１６のいずれかに記載のＬＥＤ照明装置。
【請求項１９】
前記端子台支持体は、前記表面に固定された支持体固定部と、前記支持体固定部につながり、かつ前記端子台を支持する端子台支持部と、を有する、請求項１７に記載のＬＥＤ照明装置。
【請求項２０】
前記端子台支持部は、前記裏面と同方向を向く支持部裏面を有し、前記端子台は、前記支持部裏面に支持されている、請求項１９に記載のＬＥＤ照明装置。
【請求項２１】
前記端子台は、前記第１方向においてその一部が前記第１板部に対して前記裏面側に位置する、請求項２０に記載のＬＥＤ照明装置。
【請求項２２】
前記支持体固定部には、前記第１方向のうち前記裏面が向く方向に突出する支持体突起が形成され、
前記支持体突起は、前記第１板部に形成された支持体係合孔に係合している、請求項１９ないし２１のいずれかに記載のＬＥＤ照明装置。
【請求項２３】
前記支持体固定部の一部が、前記一対の保持体固定部につながっている、請求項１９ないし２１のいずれかに記載のＬＥＤ照明装置。
【請求項２４】
前記支持体固定部および前記一対の保持体固定部は、前記表面において互いに離間している、請求項２２に記載のＬＥＤ照明装置。
【請求項２５】
前記装置ケースは、前記第１板部と前記第２板部との間に介在し、かつ前記第１板部から前記第２板部に向かうほど、前記第１方向に対する前記装置ケースの横断面の直径が長くなるように傾斜するテーパ部を有する、請求項１９ないし２４のいずれかに記載のＬＥＤ照明装置。
【請求項２６】
前記裏面に固定され、かつ前記端子台に導通するソケットを備え、
前記ＬＥＤユニットは、前記ソケットに着脱可能に取り付けられている、請求項１４ないし２５のいずれかに記載のＬＥＤ照明装置。
【請求項２７】
前記装置ケースは、前記第１方向のうち前記裏面が向く方向を向く前記第２板部の端縁によって構成された開口部を有し、
前記第１方向視における前記開口部の形状は、円形状である、請求項１ないし２６のいずれかに記載のＬＥＤ照明装置。
【請求項２８】
前記装置ケースは、前記開口部に沿って形成され、かつ前記第１方向に対して直角である方向に延出する環状の鍔部を有する、請求項２７に記載のＬＥＤ照明装置。
【請求項２９】
前記鍔部は、前記第１方向のうち前記表面が向く方向を向く鍔部表面を有し、前記鍔部表面に環状のパッキンが配置されている、請求項２８に記載のＬＥＤ照明装置。
【請求項３０】
前記第１方向視における前記ＬＥＤユニットの形状は、円形状である、請求項２７ないし２９のいずれかに記載のＬＥＤ照明装置。
【発明の詳細な説明】
【技術分野】
【０００１】
本発明は、主として家屋などの天井に取り付けられるダウンライトを構成するＬＥＤ照明装置に関する。
【背景技術】
【０００２】
家屋などの天井に取り付けられるダウンライトを構成するＬＥＤ照明装置は、ＬＥＤユニット（ＬＥＤ電球など）と、ＬＥＤユニットを収容する装置ケースと、装置ケースの側壁に固定された弾性体である支持片とを備えることが一般的である。たとえば特許文献１には、このようなＬＥＤ照明装置の一例が開示されている。特許文献１に開示されているＬＥＤ照明装置においては、装置ケース（特許文献１の反射部２５）の側壁に板ばねである支持片（特許文献１の取付ばね２７）の一端が固定され、支持片は側壁に沿って鉛直下方に延出している。鉛直下方に延出した支持片は、装置ケースの側壁の下端に形成された鍔部（特許文献１の鍔部２８）に接触した状態で屈曲し、側方に張り出した状態となっている。この屈曲した部分が支持片の回転支点となり、張り出した部分に荷重を与えると支持片が回転する。また、側方に張り出した支持片の先端部は、鉛直下方に突出している。
【０００３】
このようなＬＥＤ照明装置の天井への取り付けにあたっては、当該支持片の張り出した部分を装置ケースの側壁の延出方向に沿わせて折りたたみ、支持片の先端部を天井に設けられた取付け孔の周縁に引っ掛けて、当該ＬＥＤ照明装置が天井に吊り下げられた状態にする。この状態から、当該ＬＥＤ照明装置を取付け孔の背後へ押し込むと、復元力によって支持片が側方に張り出し、この張り出した部分が天井に接触することによって、当該ＬＥＤ照明装置が天井に取り付けられる。このとき、当該ＬＥＤ照明装置は、天井背後に埋設された状態となる。
【０００４】
特許文献１の図１には、天井に取り付けられたＬＥＤ照明装置の状態が示されている。図１によれば、鍔部（特許文献１の鍔部２８）に接触する支持片（特許文献１の取付ばね２７）の屈曲した部分（支持片の回転支点に該当）は、天井の取付け孔（特許文献１の取付孔１２）の内側に位置している。よって、天井に設けられる取付け孔の直径は、装置ケースの外径に加え、支持片の屈曲した部分を取付け孔の内側に収容するために必要な長さを加えたものでなければならない。そのため、取付け孔の直径は、平面視（鉛直方向視）における装置ケースの寸法よりも必然的に長くなる。
【０００５】
よって、このようなＬＥＤ照明装置において、室内の照度を高めるためにＬＥＤユニットの寸法をより大きなものを適用すると、ＬＥＤユニットを収容する装置ケースの平面視における寸法が拡大されるため、天井に設けられる取付け孔の直径はさらに長くなる。したがって、当該ＬＥＤ照明装置が天井に対してコンパクトに取り付けられず、ＬＥＤ照明装置の鍔部の外径が長くなることによる美観の阻害や、取付け孔の直径が長くなることによる天井の強度低下が懸念される。
【先行技術文献】
【特許文献】
【０００６】
【特許文献１】特開２０１３−１４３２３５号公報
【発明の概要】
【発明が解決しようとする課題】
【０００７】
本発明は上記事情に鑑み、家屋などの天井に対して、よりコンパクトに取り付けることが可能なＬＥＤ照明装置を提供することをその課題とする。
【課題を解決するための手段】
【０００８】
本発明によって提供されるＬＥＤ照明装置は、第１方向において互いに反対側を向く表面および裏面を有する第１板部と、前記第１方向視において前記第１板部を囲み、かつ前記第１板部に対して前記第１方向のうち前記裏面が向く方向に延出する第２板部と、を有する装置ケースと、前記裏面側に着脱可能に取り付けられ、かつ前記装置ケースに収容されるＬＥＤユニットと、前記表面に支持され、かつ前記第１方向に対して直角である第２方向回りに回転可能である支持片と、前記支持片を前記第１板部に対して前記表面側に回転させると、前記第１板部に対して前記裏面側に前記支持片を回転させる復元力を発生する復元力発生手段と、を備えることを特徴としている。
【０００９】
本発明の実施の形態において好ましくは、一対の前記復元力発生手段および一対の前記支持片を備え、前記第１方向および前記第２方向に対していずれも直角である第３方向において、一対の前記復元力発生手段は、互いに離間している状態で前記表面に支持されている。
【００１０】
本発明の実施の形態において好ましくは、前記復元力発生手段は、コイルばねである。
【００１１】
本発明の実施の形態において好ましくは、前記復元力発生手段は、前記第２方向に離間する２つのコイルばねであり、前記支持片は、前記第２方向において前記復元力発生手段に挟まれている。
【００１２】
本発明の実施の形態において好ましくは、前記支持片は、ワイヤからなる。
【００１３】
本発明の実施の形態において好ましくは、前記支持片は、当該支持片の回転中心から離間する位置に、前記第２方向回りの回転方向において前記復元力が作用する方向に突出する突出部を有する。
【００１４】
本発明の実施の形態において好ましくは、前記支持片および前記復元力発生手段は、一本のワイヤからなる単一の部材によって構成されている。
【００１５】
本発明の実施の形態において好ましくは、前記表面に固定された保持体を備え、前記復元力発生手段は、前記表面と前記保持体との間に挟まれている。
【００１６】
本発明の実施の形態において好ましくは、前記保持体は、前記一対の復元力発生手段をそれぞれ覆い、かつ各々に前記第１方向に貫通する保持体挿通孔が形成された一対の被覆部と、前記一対の被覆部にそれぞれつながり、かつ前記表面に固定された一対の保持体固定部と、を有し、一対の前記保持体挿通孔および前記第１板部に形成された一対の保持体固定孔に、一対の保持体締結部材がそれぞれ連通されている。
【００１７】
本発明の実施の形態において好ましくは、前記一対の被覆部には、前記第１方向および前記第３方向に沿った一対の貫通溝がそれぞれ形成され、前記支持片は、前記一対の貫通溝に案内されて前記第２方向回りに回転する。
【００１８】
本発明の実施の形態において好ましくは、前記一対の保持体固定部には、前記第１方向のうち前記裏面が向く方向に突出する保持体突起がそれぞれ形成され、一対の前記保持体突起は、前記第１板部に形成された一対の保持体係合孔にそれぞれ係合している。
【００１９】
本発明の実施の形態において好ましくは、前記一対の被覆部および前記一対の保持体固定部が、単一の部材によって構成されている。
【００２０】
本発明の実施の形態において好ましくは、一方の前記被覆部および一方の前記保持体固定部が、単一の部材によって構成され、他方の前記被覆部および他方の前記保持体固定部が、他の単一の部材によって構成されている。
【００２１】
本発明の実施の形態において好ましくは、前記ＬＥＤユニットに導通し、かつ外部の電力供給ケーブルが接続される端子台と、前記表面に固定され、かつ前記端子台を支持する端子台支持体と、を備える。
【００２２】
本発明の実施の形態において好ましくは、前記端子台は、前記第３方向において一対の前記支持片の間に位置する。
【００２３】
本発明の実施の形態において好ましくは、前記電力供給ケーブルは、前記第２方向から前記端子台に接続される。
【００２４】
本発明の実施の形態において好ましくは、前記端子台は、前記第１方向視において前記表面からその全部が離間している状態で配置されている。
【００２５】
本発明の実施の形態において好ましくは、前記端子台は、前記第１方向視において前記表面からその一部がはみ出している状態で配置されている。
【００２６】
本発明の実施の形態において好ましくは、前記端子台支持体は、前記表面に固定された支持体固定部と、前記支持体固定部につながり、かつ前記端子台を支持する端子台支持部と、を有する。
【００２７】
本発明の実施の形態において好ましくは、前記端子台支持部は、前記裏面と同方向を向く支持部裏面を有し、前記端子台は、前記支持部裏面に支持されている。
【００２８】
本発明の実施の形態において好ましくは、前記端子台は、前記第１方向においてその一部が前記第１板部に対して前記裏面側に位置する。
【００２９】
本発明の実施の形態において好ましくは、前記支持体固定部には、前記第１方向のうち前記裏面が向く方向に突出する支持体突起が形成され、前記支持体突起は、前記第１板部に形成された支持体係合孔に係合している。
【００３０】
本発明の実施の形態において好ましくは、前記支持体固定部の一部が、前記一対の保持体固定部につながっている。
【００３１】
本発明の実施の形態において好ましくは、前記支持体固定部および前記一対の保持体固定部は、前記表面において互いに離間している。
【００３２】
本発明の実施の形態において好ましくは、前記装置ケースは、前記第１板部と前記第２板部との間に介在し、かつ前記第１板部から前記第２板部に向かうほど、前記第１方向に対する前記装置ケースの横断面の直径が長くなるように傾斜するテーパ部を有する。
【００３３】
本発明の実施の形態において好ましくは、前記裏面に固定され、かつ前記端子台に導通するソケットを備え、前記ＬＥＤユニットは、前記ソケットに着脱可能に取り付けられている。
【００３４】
本発明の実施の形態において好ましくは、前記装置ケースは、前記第１方向のうち前記裏面が向く方向を向く前記第２板部の端縁によって構成された開口部を有し、前記第１方向視における前記開口部の形状は、円形状である。
【００３５】
本発明の実施の形態において好ましくは、前記装置ケースは、前記開口部に沿って形成され、かつ前記第１方向に対して直角である方向に延出する環状の鍔部を有する。
【００３６】
本発明の実施の形態において好ましくは、前記鍔部は、前記第１方向のうち前記表面が向く方向を向く鍔部表面を有し、前記鍔部表面に環状のパッキンが配置されている。
【００３７】
本発明の実施の形態において好ましくは、前記第１方向視における前記ＬＥＤユニットの形状は、円形状である。
【発明の効果】
【００３８】
本発明によれば、ＬＥＤ照明装置が天井に対して、よりコンパクトに取り付けることが可能となる。
【００３９】
本発明のその他の特徴および利点は、添付図面に基づき以下に行う詳細な説明によって、より明らかとなろう。
【図面の簡単な説明】
【００４０】
【図１】本発明の第１実施形態にかかるＬＥＤ照明装置の斜視図である。
【図２】図１に示すＬＥＤ照明装置の平面図である。
【図３】図１に示すＬＥＤ照明装置の底面図である。
【図４】図１に示すＬＥＤ照明装置の側面図である。
【図５】図１に示すＬＥＤ照明装置の装置ケースの平面図である。
【図６】天井に取り付けられた図１に示すＬＥＤ照明装置の断面図である。
【図７】図６に示す状態からＬＥＤ照明装置の支持片を回転させたときの断面図である。
【図８】図１に示すＬＥＤ照明装置の支持片および復元力発生手段の側面図である。
【図９】図１に示すＬＥＤ照明装置の支持片および復元力発生手段の側面図である。
【図１０】図１に示すＬＥＤ照明装置の保持体の平面図である。
【図１１】図１に示すＬＥＤ照明装置の保持体の正面図である。
【図１２】図１に示すＬＥＤ照明装置の保持体の左側面図である。
【図１３】図１に示すＬＥＤ照明装置の端子台支持体の正面図である。
【図１４】図１に示すＬＥＤ照明装置の端子台支持体の左側面図である。
【図１５】図１に示すＬＥＤ照明装置のＬＥＤユニットの平面図である。
【図１６】図１５に示すＬＥＤユニットの側面図である。
【図１７】図１５に示すＬＥＤユニットの底面図である。
【図１８】図１５のＸＶＩＩＩ−ＸＶＩＩＩ線に沿う断面図である。
【図１９】図１５に示すＬＥＤユニットのＬＥＤ発光部の平面図である。
【図２０】図１９のＸＸ−ＸＸ線に沿う断面図である。
【図２１】図１９に示すＬＥＤ発光部の要部拡大平面図である（封止樹脂およびホルダを省略）。
【図２２】本発明の第２実施形態にかかるＬＥＤ照明装置の平面図である。
【図２３】図２２に示すＬＥＤ照明装置の装置ケースの平面図である。
【図２４】図２２に示すＬＥＤ照明装置の保持体および端子台支持体の平面図である。
【図２５】図２２に示すＬＥＤ照明装置の保持体および端子台支持体の正面図である。
【図２６】図２２に示すＬＥＤ照明装置の保持体および端子台支持体の左側面図である。
【発明を実施するための形態】
【００４１】
本発明を実施するための形態（以下「実施形態」という。）について、添付図面に基づいて説明する。
【００４２】
〔第１実施形態〕
図１〜図１４に基づき、本発明の第１実施形態にかかるＬＥＤ照明装置Ａ１０について説明する。ＬＥＤ照明装置Ａ１０は、ＬＥＤユニットＢ、装置ケース５、ソケット５８、一対の支持片６１、一対の復元力発生手段６２、保持体７、端子台８１および端子台支持体８２を備える。
【００４３】
図１は、ＬＥＤ照明装置Ａ１０の斜視図である。図２は、ＬＥＤ照明装置Ａ１０の平面図である。図３は、ＬＥＤ照明装置Ａ１０の底面図である。図４は、ＬＥＤ照明装置Ａ１０の後述する第３方向Ｘから視た側面図である。図５は、ＬＥＤ照明装置Ａ１０の装置ケース５の平面図である。図６は、天井Ｃに取り付けられたＬＥＤ照明装置Ａ１０の断面図である。図７は、図６に示す状態からＬＥＤ照明装置Ａ１０の支持片６１を回転させたときの断面図である。図８は、ＬＥＤ照明装置Ａ１０の第３方向Ｘから視た支持片６１および復元力発生手段６２の側面図である。図９は、ＬＥＤ照明装置Ａ１０の後述する第２方向Ｙから視た支持片６１および復元力発生手段６２の側面図である。図１０は、ＬＥＤ照明装置Ａ１０の保持体７の平面図である。図１１は、ＬＥＤ照明装置Ａ１０の保持体７の正面図である。図１２は、ＬＥＤ照明装置Ａ１０の保持体７の左側面図である。図１３は、ＬＥＤ照明装置Ａ１０の端子台支持体８２の正面図である。図１４は、ＬＥＤ照明装置Ａ１０の端子台支持体８２の左側面図である。
【００４４】
これらの図に示すＬＥＤ照明装置Ａ１０は、図６および図７に示すように、たとえば天井Ｃに取り付けられるダウンライトを構成する。ここで、説明の便宜上、ＬＥＤ照明装置Ａ１０から発せられる光の出射方向に並行する方向を第１方向Ｚと、第１方向Ｚに対して直角である方向を第２方向Ｙと、第１方向Ｚおよび第２方向Ｙに対していずれも直角である方向を第３方向Ｘと、それぞれ定義する。また、側面図（図４）および断面図（図６および図７）において、第１方向ＺのうちＬＥＤ照明装置Ａ１０から発せられる光の出射方向を下方向と、当該出射方向とは反対方向を上方向と、それぞれ定義する。
【００４５】
ＬＥＤユニットＢは、ＬＥＤ照明装置Ａ１０の本体部を構成し、ＬＥＤ照明装置Ａ１０の光源となる部分である。ＬＥＤユニットＢは、装置ケース５に収容されている。なお、説明の便宜上、ＬＥＤユニットＢの具体的な構成は後述にて説明する。
【００４６】
装置ケース５は、たとえばアルミダイキャストなど、しぼり加工により一体成形されており、ＬＥＤユニットＢを収容かつ保持する部材である。図２および図５に示すように、第１方向Ｚ視（平面視）における装置ケース５の形状は、円形状である。装置ケース５は、第１板部５１、第２板部５２、開口部５２１、テーパ部５３および鍔部５４を有する。装置ケース５の色は特に限定されず、本実施形態にかかる装置ケース５は、全面が白色に塗装されている。
【００４７】
図１、図２および図５に示すように、第１板部５１は、第１方向Ｚ視における形状が円形状である板部材である。第１板部５１は、第１方向Ｚにおいて互いに反対側を向く表面５１１および裏面５１２を有する。表面５１１は、図６に示す第１板部５１の上面であり、ＬＥＤ照明装置Ａ１０の外側を向く面である。裏面５１２は、図６に示す第２板部５２の下面であり、ＬＥＤユニットＢを向く面である。表面５１１および裏面５１２は、ともに平坦面である。本実施形態においては、保持体７および端子台支持体８２が表面５１１に固定され、支持片６１および復元力発生手段６２が表面５１１に支持されている。また、本実施形態においては、裏面５１２側にＬＥＤユニットＢが着脱可能に取り付けられている。
【００４８】
図５に示すように、第１板部５１には、一対の保持体固定孔５１３および一対の保持体係合孔５１４が、それぞれ第３方向Ｘに離間して形成されている。これらは第１板部５１を第１方向Ｚに貫通する孔であり、表面５１１に保持体７を固定する際に使用される孔である。本実施形態においては、保持体固定孔５１３の直径は、保持体係合孔５１４の直径よりも短い。また、図５に示すように、第１板部５１には、支持体固定孔５１５および支持体係合孔５１６が、一対の保持体固定孔５１３および一対の保持体係合孔５１４とは離間して形成されている。これらは保持体固定孔５１３および保持体係合孔５１４と同様に、第１板部５１を第１方向Ｚに貫通する孔であり、表面５１１に端子台支持体８２を固定する際に使用される孔である。本実施形態においては、支持体固定孔５１５の直径は、支持体係合孔５１６の直径よりも短い。
【００４９】
さらに、図５に示すように、第１板部５１には、支持体固定孔５１５の近傍にケーブル挿通孔５１７が形成されている。ケーブル挿通孔５１７も、保持体固定孔５１３、保持体係合孔５１４、支持体固定孔５１５および支持体係合孔５１６と同様に、第１板部５１を第１方向Ｚに貫通する孔である。ケーブル挿通孔５１７には、ソケット５８および端子台８１を相互に接続する連絡ケーブル８８が挿通されている。
【００５０】
図１、図４および図６に示すように、第２板部５２は、第１方向Ｚにおいて第１板部５１を囲み、かつ第１板部５１に対して第１方向Ｚのうち裏面５１２が向く方向（ＬＥＤユニットＢから発せられる光の出射方向）に延出する板部材である。第２板部５２の形状は円筒状である。また、図３および図６に示すように、開口部５２１は、第１方向Ｚのうち裏面５１２が向く方向を向く第２板部５２の端縁によって構成された部分である。図３に示すように、第１方向Ｚ視における開口部５２１の形状は、円形状である。
【００５１】
図１、図４および図６に示すように、テーパ部５３は、第１板部５１と第２板部５２との間に介在し、かつ第１板部５１から第２板部５２に向かうほど、第１方向Ｚに対する装置ケース５の横断面の直径が長くなるように傾斜する板部材である。図６に示すように、テーパ部５３の形状は、中空の円錐台状である。本実施形態においては、テーパ部５３の端縁が、第１方向Ｚにおいて第１板部５１を囲み、かつ第１板部５１につながっている。また、第１方向Ｚのうち第１板部５１がつながる端縁とは反対側に位置するテーパ部５３の端縁に、第２板部５２がつながっている。
【００５２】
図１〜図６に示すように、鍔部５４は、開口部５２１に沿って形成され、かつ第１方向Ｚに対して直角である方向に延出する部分である。鍔部５４の形状は環状である。鍔部５４は、第１方向Ｚにおいて互いに反対側を向く鍔部表面５４１および鍔部裏面５４２を有する。鍔部表面５４１は、図４に示す鍔部５４の上面であり、第１方向Ｚのうち表面５１１が向く方向を向く面である。鍔部裏面５４２は、図４に示す鍔部５４の下面であり、第１方向Ｚのうち裏面５１２が向く方向を向く面である。ＬＥＤ照明装置Ａ１０が天井Ｃに取り付けられたとき、天井Ｃから鍔部裏面５４２が露出する。図４に示すように、本実施形態においては、鍔部表面５４１に環状のパッキン５９が配置されている。パッキン５９は、たとえばエチレン・プロピレン系ゴムを使用した独立気泡合成ゴムスポンジからなる。図６に示すように、ＬＥＤ照明装置Ａ１０が天井Ｃに取り付けられたとき、パッキン５９は天井Ｃとパッキン５９との間に挟まれた状態となる。
【００５３】
ソケット５８は、図６に示すように、裏面５１２に固定され、かつ連絡ケーブル８８を介して端子台８１と導通する部材である。ソケット５８は、ＬＥＤユニットＢとともに装置ケース５に収容されている。ソケット５８は、装置ケース５と異なり、合成樹脂製である。ＬＥＤユニットＢは、ソケット５８に着脱可能に取り付けられている。本実施形態においては、ソケット５８は、ＩＥＣ（国際電気標準会議）規格およびＪＩＳ規格のＧＸ５３型の口金が着脱可能となるように構成されている。
【００５４】
一対の支持片６１は、ＬＥＤ照明装置Ａ１０を天井Ｃに支持するための部材である。図１および図２に示すように、支持片６１は、表面５１１に支持され、かつ第２方向Ｙ回りに回転可能である。本実施形態においては、一対の支持片６１は、第３方向Ｘにおいて互いに離間している状態で表面５１１に支持されている。また、図８および図９に示すように、本実施形態にかかる支持片６１は、たとえばステンレス鋼製のワイヤからなる。この場合において、当該ワイヤ径は、１．０〜２．０ｍｍである。支持片６１は、翼部６１１および突出部６１２を有する。
【００５５】
図２および図６に示すように、翼部６１１は、第１方向Ｚ視において第３方向Ｘに沿って延出する部分である。本実施形態においては、翼部６１１は、第２方向Ｙに互いに離間する一対のワイヤによって構成されている。図８に示すように、支持片６１の回転中心である翼部６１１の一端は、復元力発生手段６２につながり、本実施形態においては、支持片６１および復元力発生手段６２は、一本のワイヤからなる単一の部材によって構成されている。よって、支持片６１および復元力発生手段６２は、一体となって表面５１１に支持されている。
【００５６】
図６および図９に示すように、突出部６１２は、支持片６１の回転中心から離間する位置に、第２方向Ｙ回りの回転方向において、後述する復元力発生手段６２から発生する復元力が作用する方向に突出する部分である。突出部６１２は、翼部６１１の他端につながっている。翼部６１１を構成する一対のワイヤは、突出部６１２において互いにつながっている。
【００５７】
一対の復元力発生手段６２は、図７に示すように、支持片６１を第２方向Ｙ回りの回転方向のうち第１板部５１に対して表面５１１側（図７に示す矢印Ｔの方向）に回転させると、第２方向Ｙ回りの回転方向のうち第１板部５１に対して裏面５１２側（図７に示す矢印Ｆの方向）に支持片６１を回転させる復元力を発生する部材である。図６は、発生する復元力によって支持片６１が図７の矢印Ｆの方向に回転し、第３方向Ｘにおいて、一対の翼部６１１が第２板部５２およびテーパ部５３と重なる状態を示している。本実施形態においては、一対の復元力発生手段６２は、第３方向Ｘにおいて互いに離間している状態で、表面５１１に支持されている。それぞれの復元力発生手段６２は、先述した支持片６１の翼部６１１の一端につながっている。図８に示すように、本実施形態にかかる復元力発生手段６２は、第２方向Ｙに離間する２つのコイルばねであり、それぞれのコイルばねが第２方向Ｙに沿って翼部６１１の一端につながっている。よって、支持片６１は、第２方向Ｙにおいて復元力発生手段６２に挟まれた構成となっている。復元力発生手段６２であるコイルばねは、ねじりコイルばね（トーションコイルばね）である。なお、復元力発生手段６２は、翼部６１１を構成する一対のワイヤにそれぞれつながる１つのコイルばねであってもよい。
【００５８】
先述したとおり、本実施形態においては、支持片６１および復元力発生手段６２は、一本のワイヤからなる単一の部材によって構成されているため、復元力発生手段６２であるコイルばねは、たとえばステンレス鋼製のワイヤからなる。当該ワイヤ径は、１．０〜２．０ｍｍである。また、図９に示すように、支持片６１の回転中心は、復元力発生手段６２であるコイルばねの中心Ｎである。なお、支持片６１および復元力発生手段６２は、一つの板ばねから構成されていてもよい。
【００５９】
保持体７は、図１および図２に示すように、表面５１１に固定され、かつ復元力発生手段６２を挟む、たとえばプレス加工によって成形された板部材である。図６に示すように、復元力発生手段６２は、それぞれ表面５１１と保持体７との間に挟まれた構成となっている。保持体７は、一対の被覆部７１および一対の保持体固定部７２を有する。図２に示すように、一対の被覆部７１および一対の保持体固定部７２は、それぞれ第３方向Ｘに互いに離間している。本実施形態においては、一方の被覆部７１および一方の保持体固定部７２が、単一の部材によって構成され、他方の被覆部７１および他方の保持体固定部７２が、他の単一の部材によって構成されている。ゆえに、本実施形態にかかる保持体７は、一対の部材によって構成されている。
【００６０】
図２に示すように、一対の被覆部７１は、一対の復元力発生手段６２をそれぞれ覆う部分である。図１１に示すように、被覆部７１の第２方向Ｙに対する横断面形状は、コ字状である。被覆部７１は、頂板７１１および一対の側板７１２を有する。図４に示すように、頂板７１１は、第１板部５１と並行に配置された部分である。図１０に示すように、頂板７１１には、第１方向Ｚに貫通する保持体挿通孔７１３が形成されている。図２および図６に示すように、本実施形態においては、一対の保持体挿通孔７１３および第１板部５１に形成された一対の保持体固定孔５１３に、一対の保持体締結部材７３がそれぞれ連通されている。保持体締結部材７３によって、表面５１１に保持体７が固定される。保持体締結部材７３は、たとえばボルトおよびナットである。また、図１１に示すように、一対の側板７１２は、頂板７１１につながり、かつ第１方向Ｚに沿って配置された部分である。一対の側板７１２は、第３方向Ｘにおいて互いに離間している。図１０および図１２に示すように、頂板７１１および一方の側板７１２には、第１方向Ｚおよび第３方向Ｘに沿った一対の貫通溝７１４が形成されている。図２および図４に示すように、支持片６１は、一対の貫通溝７１４に案内されて第２方向Ｙ回りに回転する。
【００６１】
図２および図１１に示すように、一対の保持体固定部７２は、一対の被覆部７１にそれぞれつながり、かつ表面５１１に固定された部分である。図１０〜図１２に示すように、保持体固定部７２は、先述した一対の側板７１２のうち、一対の貫通溝７１４が形成されていない側板７１２につながっている。一対の保持体固定部７２には、第１方向Ｚのうち裏面５１２が向く方向に突出する保持体突起７２１がそれぞれ形成されている。第１方向Ｚ視における保持体突起７２１の形状は、円形状である。図６に示すように、本実施形態においては、一対の保持体突起７２１は、第１板部５１に形成された一対の保持体係合孔５１４にそれぞれ係合している。
【００６２】
端子台８１は、図１〜図４に示すように、連絡ケーブル８８およびソケット５８を介してＬＥＤユニットＢに導通し、かつ外部の電力供給ケーブル８９が接続される、ＬＥＤユニットＢの電力供給にかかる部品である。端子台８１は、装置ケース５に収容されず、装置ケース５の外部に露出している。端子台８１は、第３方向Ｘにおいて一対の支持片６１の間に位置し、かつ端子台８１の長手方向が第２方向Ｙに沿った状態で配置されている。電力供給ケーブル８９は、第２方向Ｙから端子台８１に接続される構成となっている。本実施形態にかかる端子台８１は、第１方向Ｚにおいて表面５１１からその全部が離間している状態で配置されている。ここで、端子台８１は、第１方向Ｚ視において表面５１１からその一部がはみ出している状態で、換言すれば第１方向Ｚにおいて端子台８１の一部が表面５１１に重なった状態で配置されていてもよい。
【００６３】
端子台支持体８２は、図１、図２および図４に示すように、表面５１１に固定され、かつ端子台８１を支持する板部材である。端子台支持体８２は、支持体固定部８２１および端子台支持部８２２を有する。
【００６４】
図２および図４に示すように、支持体固定部８２１は、表面５１１に固定された部分である。図１３に示すように、支持体固定部８２１には、第１方向Ｚに貫通する支持体挿通孔８２１ａが形成されている。支持体挿通孔８２１ａおよび第１板部５１に形成された支持体固定孔５１５に、図２および図４に示す支持体締結部材８２３が連通されている。支持体締結部材８２３によって、表面５１１に端子台支持体８２が固定される。支持体締結部材８２３は、保持体締結部材７３と同じくたとえばボルトおよびナットである。また、図１３および図１４に示すように、支持体固定部８２１には、第１方向Ｚのうち裏面５１２が向く方向に突出する支持体突起８２１ｂが形成されている。第１方向Ｚ視における支持体突起８２１ｂの形状は、円形状である。本実施形態においては、支持体突起８２１ｂは、第１板部５１に形成された支持体係合孔５１６に係合している。
【００６５】
図２および図４に示すように、端子台支持部８２２は、支持体固定部８２１につながり、かつ端子台８１を支持する部分である。支持体固定部８２１は、第２方向Ｙに沿って延出している。端子台支持部８２２は、第１方向Ｚにおいて互いに反対側を向く支持部表面８２２ａおよび支持部裏面８２２ｂを有する。支持部表面８２２ａは、図４に示す端子台支持部８２２の上面であり、第１方向Ｚのうち表面５１１が向く方向を向く面である。支持部裏面８２２ｂは、図４に示す端子台支持部８２２の下面であり、第１方向Ｚのうち裏面５１２が向く方向を向く面である。本実施形態においては、端子台８１は、支持部裏面８２２ｂに支持されている。この場合において、端子台８１は、第１方向Ｚにおいてその一部が第１板部５１に対して裏面５１２側に位置する構成となっている。また、図１３に示すように、端子台支持部８２２には、第１方向Ｚに貫通する一対の端子台支持孔８２２ｃおよび端子台係合孔８２２ｄが、第３方向Ｘに沿って形成されている。本実施形態においては、端子台係合孔８２２ｄが一対の端子台支持孔８２２ｃの間に位置している。一対の端子台支持孔８２２ｃおよび端子台係合孔８２２ｄは、端子台８１を端子台支持部８２２に支持する際に使用される孔である。また、本実施形態においては、端子台支持孔８２２ｃの直径は、端子台係合孔８２２ｄの直径よりも長い。
【００６６】
図１および図２に示すように、本実施形態においては、支持体固定部８２１および一対の保持体固定部７２は、表面５１１において互いに離間している。
【００６７】
［ＬＥＤユニットＢの構成について］
次に、図１５〜図２１に基づき、ＬＥＤ照明装置Ａ１０を構成するＬＥＤユニットＢの具体的な構成について説明する。本実施形態のＬＥＤユニットＢは、ケース１、ＬＥＤ発光部２、カバー３および電源部４を備える。本実施形態においては、ＬＥＤユニットＢは、高さが相対的に低い略円柱状であり、平面視におけるＬＥＤユニットＢの形状は、円形状である。
【００６８】
図１５は、ＬＥＤユニットＢの平面図である。図１６は、ＬＥＤユニットＢの側面図である。図１７は、ＬＥＤユニットＢの底面図である。図１８は、図１５のＸＶＩＩＩ−ＸＶＩＩＩ線に沿う断面図である。
【００６９】
ケース１は、ＬＥＤ発光部２、カバー３および電源部４を収容もしくは保持するものである。本実施形態においては、ケース１は、放熱部材１１、絶縁部材１２および中間ブラケット１５からなる。本実施形態においては、ケース１は、平面視円形状である。
【００７０】
放熱部材１１は、ＬＥＤ発光部２からの熱を放散することが意図された部材であり、たとえばアルミなどの金属からなる。放熱部材１１は、搭載面１１１、複数のフィン１１２および係合部１１３を有する。搭載面１１１は、ＬＥＤ発光部２からの光を出射させる出射方向（図１８における図中上方）を向いており、円形の略平面である。複数のフィン１１２は、ＬＥＤ発光部２からの熱の放散を促進するためのものであり、放熱部材１１の外周部分全周にわたって設けられている。フィン１１２は、ＬＥＤユニットＢの軸方向および径方向に対して平行である。係合部１１３は、搭載面１１１を取り囲む円環状の部分である。係合部１１３は、カバー３の取り付けに用いられる。
【００７１】
絶縁部材１２は、放熱部材１１に対して前記出射方向とは反対側に取り付けられており、平面視における絶縁部材１２の形状は、円形状である。絶縁部材１２は、絶縁性材料からなり、本実施形態においては、たとえばポリブチレンテレフタレート（ＰＢＴ）樹脂からなる。絶縁部材１２は、凸部１２１を有する。凸部１２１は、前記出射方向とは反対側に突出する円柱形状部分である。図１６に示すように、凸部１２１には、溝部１２２が形成されている。溝部１２２は、前記軸方向に延びる部分と、これに続いて前記周方向に延びる部分とを有する。また、絶縁部材１２には、２つのピン１３が設けられている。２つのピン１３は、凸部１２１を挟んで前記径方向において互いに反対側に位置しており、前記出射方向とは反対側に突出している。この凸部１２１と２つのピン１３とによって口金１４が構成されている。口金１４は、ＬＥＤユニットＢを先述したソケット５８に接続するためのものであり、本実施形態においてはＩＥＣ規格のＧＸ５３型である。ＬＥＤユニットＢをソケット５８に接続したとき、２つのピン１３がソケット５８に係合する。
【００７２】
中間ブラケット１５は、放熱部材１１と絶縁部材１２との間に設けられている。中間ブラケット１５は、絶縁性材料からなり、本実施形態においては、たとえばポリブチレンテレフタレート（ＰＢＴ）樹脂からなる。中間ブラケット１５は、２つのピン１３および電源部４の固定保持や、２つのピン１３、ＬＥＤ発光部２および電源部４を接続する配線などを保持する機能を果たす。
【００７３】
ＬＥＤ発光部２は、ＬＥＤユニットＢの光源をなす部分である。図１９〜図２１に示すように、ＬＥＤ発光部２は、ＬＥＤ基板２１、複数のＬＥＤチップ２２、封止樹脂２４、堰部２５およびホルダ２６を備える。図１９は、ＬＥＤユニットＢのＬＥＤ発光部２の平面図である。図２０は、図１９のＸＸ−ＸＸ線に沿う断面図である。図２１は、図１９に示すＬＥＤ発光部２の要部拡大平面図であり、理解の便宜上、後述する封止樹脂２４およびホルダ２６を省略している。
【００７４】
図１９に示すように、ＬＥＤ基板２１は、たとえば平面視矩形状であり、複数のＬＥＤチップ２２が搭載されている。ＬＥＤ基板２１の構成は特に限定されないが、本実施形態においては、基材２１１および配線パターン２１２を有する。ＬＥＤ基板２１の平面視寸法は、たとえば１２×１５ｍｍである。
【００７５】
基材２１１は、絶縁性材料からなり、熱伝導率が高められたガラスエポキシ樹脂やセラミックスからなる。配線パターン２１２は、複数のＬＥＤチップ２２を実装し、かつこれらのＬＥＤチップ２２への導通経路を構成する。配線パターン２１２は、金属のメッキ層からなり、たとえばＣｕ，Ｎｉ，ＡｕまたはＡｇなどからなる。本実施形態においては、配線パターン２１２は、２６個の複数のＬＥＤチップ２２を搭載するためのボンディングパッドと、ホルダ２６との導通をとるための２つの接続パッドとを有する。前記２つの接続パッドは、図２１において複数のＬＥＤチップ２２を挟んでＬＥＤ基板２１の対角線方向に離間配置された矩形状部分である。
【００７６】
複数のＬＥＤチップ２２は、ＬＥＤ発光部２の発光要素である。ＬＥＤチップ２２は、たとえばＧａＮからなる半導体層を有しており、たとえば青色光を発する。本実施形態においては、２６個のＬＥＤチップ２２がＬＥＤ基板２１に搭載されている。これらのＬＥＤチップ２２は、略マトリクス状に配置されている。ＬＥＤチップ２２は、いわゆる２ワイヤタイプのＬＥＤチップである。本実施形態においては、隣り合うＬＥＤチップ２２どうしが、ワイヤ２３によって直接接続されている。さらに、本実施形態においては、すべてのＬＥＤチップ２２が互いに直列に接続されている。これらのＬＥＤチップ２２は、配線パターン２１２の前記２つの接続パッドの間において直接に接続されている。複数のＬＥＤチップ２２の配列ピッチは、たとえば１．０〜１．７ｍｍである。
【００７７】
堰部２５は、ＬＥＤ基板２１上に形成されており、複数のＬＥＤチップ２２を囲んでいうる。本実施形態においては、堰部２５は、平面視において矩形環状とされており、たとえば白色のエポキシ樹脂からなる。堰部２５の高さは、ＬＥＤチップ２２よりも高い。
【００７８】
封止樹脂２４は、複数のＬＥＤチップ２２を覆っており、堰部２５によって囲まれた領域に充填されている。封止樹脂２４は、たとえばシリコーン樹脂あるいはエポキシ樹脂などの透明な樹脂に、蛍光材料が混入された材質からなる。この蛍光材料は、ＬＥＤチップ２２からの青色光によって励起されることにより黄色光を発する。また、ＬＥＤチップ２２からの青色光によって励起されることにより、赤色光を発する蛍光材料と緑色光を発する蛍光材料とを混ぜて用いてもよい。これにより、ＬＥＤ発光部２からは、電球色、昼光色などの白色光が発せられる。
【００７９】
ホルダ２６は、ＬＥＤ基板２１を放熱部材１１の搭載面１１１に対して固定保持するためのものである。ホルダ２６は、本体２６１および２つの保持電極２６２を有する。本体２６１は、たとえば絶縁性の樹脂からなり、図１９および図２０に示すように、平面視寸法がＬＥＤ基板２１よりも大とされている。また、複数のＬＥＤチップ２２を覆う封止樹脂２４を露出させるように、本体２６１は、その中央部分が開口している。２つの保持電極２６２は、ＬＥＤ基板２１の配線パターン２１２の前記２つの接続パッドに各々が接触している。２つの保持電極２６２は、ＬＥＤケーブル４８を介して電源部４に導通している。ホルダ２６の放熱部材１１への取り付けは、ねじや嵌合などによってなされる。
【００８０】
カバー３は、ケース１に対して前記出射方向に位置するように取り付けられている。カバー３は、ＬＥＤ発光部２からの光を透過させる。また、本実施形態においては、カバー３は、ＬＥＤ発光部２からの光を拡散させつつ透過させる。カバー３の材質としては、透光性を有する樹脂またはガラスに拡散材を混入した材質が挙げられる。このような構成により、カバー３は、たとえば乳白色を呈する。
【００８１】
カバー３は、平面視における形状が円形状であり、内側表面３１０、外側表面３２０、側面３４０および係合部３２を有する。
【００８２】
内側表面３１０は、ＬＥＤ発光部２側に位置しており、ケース１の放熱部材１１の搭載面１１１と正対している。平面視における内側表面３１０の形状は、円形状である。本実施形態にかかる内側表面３１０は、粗面仕上げとされている。
【００８３】
外側表面３２０は、内側表面３１０とは反対側に位置しており、平面視における外側表面３２０の形状は、円形状である。本実施形態にかかる外側表面３２０は、ＬＥＤ発光部２から離間する側（図１８における図中上側）に膨出した形状である。また、本実施形態にかかる外側表面３２０は、平滑な鏡面仕上げとされているが、粗面仕上げとされていてもよい。
【００８４】
側面３４０は、内側表面３１０と外側表面３２０とが離間する方向に沿っており、断面円形状の曲面である。係合部３２は、カバー３の外周端に設けられており、ケース１の放熱部材１１の１１３と係合することにより、カバー３をケース１に取り付ける機能を果たす。
【００８５】
なお、本実施形態によるカバー３の形状は、ＬＥＤ発光部２から出射された光を偏りなく拡散させる作用を図ったものであり、カバー３の形状は該形態にかかわらず多種多様の形状をとることができる。
【００８６】
電源部４は、たとえば商用の１００Ｖ交流電力をＬＥＤ発光部２の複数のＬＥＤチップ２２を点灯させるのに適した直流電力に変換するものである。電源部４は、絶縁部材１２の凸部１２１に収容されている。
【００８７】
本実施形態の電源部４は、電源基板４１および複数の電子部品４２からなる。
【００８８】
電源基板４１は、電源部４の土台となるものであり、複数の電子部品４２を支持している。また、複数の電子部品４２どうしを適宜導通させる導通経路を有する。
【００８９】
複数の電子部品４２は、電源部４の機能を実現するための電源回路を構成する要素である。複数の電子部品４２の種類や仕様は特に限定されないが、代表的なものとして、トランス、コンデンサ、抵抗器およびダイオードなどが挙げられる。
【００９０】
電源部４には、ＬＥＤケーブル４８および電源ケーブル４９が接続されている。ＬＥＤケーブル４８は、電源部４からＬＥＤ発光部２へと電力を供給するものであり、電源部４とＬＥＤ発光部２とに接続されている。電源ケーブル４９は、外部から受けた電力を電源部４へと導くものであり、電源部４とケース１のピン１３とに接続されている。
【００９１】
次に、ＬＥＤ照明装置Ａ１０の作用効果について説明する。
【００９２】
ＬＥＤ照明装置Ａ１０においては、第１方向ＺにおいてＬＥＤユニットＢが取り付けられた裏面５１２とは反対側を向く第１板部５１の表面５１１に、支持片６１が支持されている。支持片６１は、第１方向Ｚに対して直角である第２方向Ｙ回りに回転可能である。このような構成をとることによって、支持片６１の回転支点の位置が、第１方向Ｚ視において第２板部５２よりも内側となる。よって、支持片６１を図７に示す姿勢とすれば、ＬＥＤ照明装置Ａ１０が取り付けられる天井Ｃの取付け孔Ｄの直径を設定する際に、支持片６１を取付け孔Ｄの内側に収容するための必要な長さを省略することができる。したがって、ＬＥＤ照明装置Ａ１０によれば、天井Ｃの取付け孔Ｄの直径をより短く設定することが可能であり、天井Ｃに対して、よりコンパクトに取り付けることができる。
【００９３】
ＬＥＤ照明装置Ａ１０は、支持片６１を第１板部５１に対して表面５１１側に回転させると、第１板部５１に対して裏面５１２側に支持片６１を回転させる復元力を発生する復元力発生手段６２を備える。復元力発生手段６２によって発生する復元力によって、支持片６１が天井Ｃを第１方向Ｚに押し付け、天井Ｃからの反作用が支持片６１に作用するため、支持片６１によってＬＥＤ照明装置Ａ１０が取り付けられることを可能としている。
【００９４】
復元力発生手段６２の構成をコイルばねとし、さらには支持片６１の回転軸方向である第２方向Ｙに離間する２つのコイルばねとすることによって、コイルばねの巻き数を適宜設定することにより、発生する復元力の調整が可能となる。また、コイルばねの巻き数の設定が自在であればコイルばねの外径を短く設定することができるため、第１方向ＺにおけるＬＥＤ照明装置Ａ１０の寸法を縮小することが可能である。
【００９５】
復元力発生手段６２の構成をコイルばねとし、かつワイヤからなる支持片６１を適用することによって、支持片６１および復元力発生手段６２を、一本のワイヤからなる単一の部材によって構成することができる。したがって、部材点数の削減により、ＬＥＤ照明装置Ａ１０の製造効率の向上を図ることが可能となる。
【００９６】
端子台８１の配置について、端子台支持部８２２の支持部裏面８２２ｂに端子台８１が支持され、第１方向Ｚにおいて第１板部５１に対して裏面５１２側に端子台８１の一部が位置する配置とすることによって、第１方向ＺにおけるＬＥＤ照明装置Ａ１０の寸法の縮小を図ることができる。また、第１板部５１と第２板部５２との間に介在するテーパ部５３を有する装置ケース５とすることによって、端子台８１を、より装置ケース５の第１方向Ｚ視中心に近づけ、かつ第１方向Ｚに対して平行または直角、もしくは一定の角度を持つ方向に配置することができるため、ＬＥＤ照明装置Ａ１０の寸法の縮小を図ることができる。
【００９７】
保持体７は、表面５１１とともに復元力発生手段６２を挟む部材であるため、支持片６１を回転させたとき、第１板部５１における復元力発生手段６２のずれ止めとしての効果がある。また、保持体７を構成する一対の被覆部７１のそれぞれに形成された一対の貫通溝７１４は、支持片６１が回転するときの案内となるため、支持片６１の第１方向Ｚ回りの回転を規制することができる。
【００９８】
鍔部５４は、ＬＥＤ照明装置Ａ１０が天井Ｃに取り付けられたとき、ＬＥＤ照明装置Ａ１０が天井Ｃの背後に過度に埋設されることを防止するためのストッパとしての機能を果たす。また、パッキン５９は、ＬＥＤ照明装置Ａ１０が天井Ｃに取り付けられたとき、鍔部５４が天井Ｃに接触し、天井Ｃに傷が発生することを防ぐ効果がある。
【００９９】
〔第２実施形態〕
図２２〜図２６に基づき、本発明の第２実施形態にかかるＬＥＤ照明装置Ａ２０について説明する。これらの図において、先述したＬＥＤ照明装置Ａ１０と同一または類似の要素には同一の符号を付して、重複する説明を省略することとする。
【０１００】
図２２は、ＬＥＤ照明装置Ａ２０の平面図である。図２３は、ＬＥＤ照明装置Ａ２０の装置ケース５の平面図である。図２４は、ＬＥＤ照明装置Ａ２０の保持体７および端子台支持体８２の平面図である。図２５は、ＬＥＤ照明装置Ａ２０の保持体７および端子台支持体８２の正面図である。図２６は、ＬＥＤ照明装置Ａ１０の保持体７および端子台支持体８２の左側面図である。
【０１０１】
本実施形態にかかるＬＥＤ照明装置Ａ２０は、保持体７、端子台支持体８２および装置ケース５の第１板部５１の構成が、先述したＬＥＤ照明装置Ａ１０と異なる。
【０１０２】
保持体７は、図２２および図２４に示すように、一対の被覆部７１および一対の保持体固定部７２が、単一の部材によって構成されている。本実施形態にかかる保持体７は、ＬＥＤ照明装置Ａ１０の保持体７に対して、一対の保持体固定部７２が第３方向Ｘにそれぞれ延出し、かつ相互につながることによって、保持体固定部７２が一体となった構成となっている。図２５および図２６に示すように、本実施形態にかかる保持体７には、一対の保持体突起７２１が形成されていない。
【０１０３】
端子台支持体８２は、図２２および図２４に示すように、支持体固定部８２１の一部が、一対の保持体固定部７２（本実施形態においては一体となった保持体固定部７２）につながっている。本実施形態にかかる端子台支持体８２は、ＬＥＤ照明装置Ａ１０の端子台支持体８２に対して、支持体固定部８２１が第２方向Ｙに延出し、かつ一体となった保持体固定部７２につながる構成となっている。また、図２４〜図２６に示すように、本実施形態にかかる端子台支持体８２には、支持体挿通孔８２１ａおよび支持体突起８２１ｂが形成されていない。
【０１０４】
本実施形態にかかる保持体７および端子台支持体８２は、単一の部材によって構成されている。保持体７および端子台支持体８２は、たとえばプレス加工による一体成形品である。また、図２２に示すように、本実施形態においては、保持体７および端子台支持体８２は、一対の保持体締結部材７３のみによって固定される。また、本実施形態にかかる端子台支持体８２は、ＬＥＤ照明装置Ａ２０の天井Ｃへの取り付け、または取り外しを容易とするため、板ばねとなっている。
【０１０５】
第１板部５１には、図２３に示すように、一対の保持体固定孔５１３およびケーブル挿通孔５１７のみが形成されている。したがって、ＬＥＤ照明装置Ａ１０の第１板部５１と異なり、一対の保持体係合孔５１４、支持体固定孔５１５および支持体係合孔５１６は、いずれも第１板部５１に形成されていない。
【０１０６】
次に、ＬＥＤ照明装置Ａ２０の作用効果について説明する。
【０１０７】
ＬＥＤ照明装置Ａ２０は、ＬＥＤ照明装置Ａ１０と同様に、第１方向ＺにおいてＬＥＤユニットＢが取り付けられた裏面５１２とは反対側を向く第１板部５１の表面５１１に、支持片６１が支持されている。支持片６１は、第１方向Ｚに対して直角である第２方向Ｙ回りに回転可能である。したがって、ＬＥＤ照明装置Ａ２０によっても、天井Ｃの取付け孔Ｄの直径をより短く設定することが可能であり、天井Ｃに対して、よりコンパクトに取り付けることができる。
【０１０８】
本実施形態にかかる保持体７および端子台支持体８２は、単一の部材によって構成されている。この場合において、表面５１１に保持体７および端子台支持体８２を固定する際、一対の保持体締結部材７３によって固定され、支持体締結部材８２３は不要である。よって、端子台支持体８２および第１板部５１において、支持体挿通孔８２１ａおよび支持体固定孔５１５の形成を省略することができる。また、また、一対の保持体締結部材７３によって保持体７および端子台支持体８２の第１方向Ｚ回りの回転が規制されるため、保持体７、端子台支持体８２および第１板部５１において、一対の保持体突起７２１、支持体突起８２１ｂ、一対の保持体係合孔５１４および支持体係合孔５１６の形成を省略することができる。したがって、部材成形の簡略化と部材点数の削減により、ＬＥＤ照明装置Ａ２０の製造効率について、ＬＥＤ照明装置Ａ１０よりもさらに向上を図ることが可能となる。
【０１０９】
本発明は、先述した実施形態やその変形例に限定されるものではない。たとえば、本発明は、ダウンライトのように天井Ｃの背後に埋設される形式以外に、鉛直壁の背後に埋設される形式であっても適用可能である。また、本発明の各部の具体的な構成は、種々に設計変更自在である。
【符号の説明】
【０１１０】
Ａ１０，Ａ２０：ＬＥＤ照明装置
Ｂ：ＬＥＤユニット
１：ケース
１１：放熱部材
１１１：搭載面
１１２：フィン
１１３：係合部
１２：絶縁部材
１２１：凸部
１２２：溝部
１３：ピン
１４：口金
１５：中間ブラケット
２：ＬＥＤ発光部
２１：ＬＥＤ基板
２１１：基材
２１２：配線パターン
２２：ＬＥＤチップ
２３：ワイヤ
２４：封止樹脂
２５：堰部
２６：ホルダ
２６１：本体
２６２：保持電極
３：カバー
３１０：内側表面
３２０：外側表面
３４０：側面
３２：係合部
４：電源部
４１：電源基板
４２：電子部品
４８：ＬＥＤケーブル
４９：電源ケーブル
５：装置ケース
５１：第１板部
５１１：表面
５１２：裏面
５１３：保持体固定孔
５１４：保持体係合孔
５１５：支持体固定孔
５１６：支持体係合孔
５１７：ケーブル挿通孔
５２：第２板部
５２１：開口部
５３：テーパ部
５４：鍔部
５４１：鍔部表面
５４２：鍔部裏面
５８：ソケット
５９：パッキン
６１：支持片
６１１：翼部
６１２：突出部
６２：復元力発生手段
７：保持体
７１：被覆部
７１１：頂板
７１２：側板
７１３：保持体挿通孔
７１４：貫通溝
７２：保持体固定部
７２１：保持体突起
７３：保持体締結部材
８１：端子台
８２：端子台支持体
８２１：支持体固定部
８２１ａ：支持体挿通孔
８２１ｂ：支持体突起
８２２：端子台支持部
８２２ａ：支持部表面
８２２ｂ：支持部裏面
８２２ｃ：端子台支持孔
８２２ｄ：端子台係合孔
８２３：支持体締結部材
８８：連絡ケーブル
８９：電力供給ケーブル
Ｚ：第１方向
Ｙ：第２方向
Ｘ：第３方向
Ｃ：天井
Ｄ：取付け孔
Ｔ，Ｆ：矢印
Ｎ：中心
【図１】
2017162768.tif 000003
【図２】
2017162768.tif 000004
【図３】
2017162768.tif 000005
【図４】
2017162768.tif 000006
【図５】
2017162768.tif 000007
【図６】
2017162768.tif 000008
【図７】
2017162768.tif 000009
【図８】
2017162768.tif 000010
【図９】
2017162768.tif 000011
【図１０】
2017162768.tif 000012
【図１１】
2017162768.tif 000013
【図１２】
2017162768.tif 000014
【図１３】
2017162768.tif 000015
【図１４】
2017162768.tif 000016
【図１５】
2017162768.tif 000017
【図１６】
2017162768.tif 000018
【図１７】
2017162768.tif 000019
【図１８】
2017162768.tif 000020
【図１９】
2017162768.tif 000021
【図２０】
2017162768.tif 000022
【図２１】
2017162768.tif 000023
【図２２】
2017162768.tif 000024
【図２３】
2017162768.tif 000025
【図２４】
2017162768.tif 000026
【図２５】
2017162768.tif 000027
【図２６】
2017162768.tif 000028